(57)【要約】【課題】  傘の上部に作用する風または空気圧から傘を守ることができる多段折畳み式の骨アセンブリを提供する。【解決手段】  骨アセンブリ２に固定される傘地Ｃを有する傘の中央軸１に回動自在に連結されるように適応した多段折畳み式の骨アセンブリであって、前記骨アセンブリ２は当該骨アセンブリ２の外側部に回動自在に形成される先骨２５を有し、前記先骨２５は、当該先骨２５の縦方向に窪まされたＵ字溝２５０を有し、前記Ｕ字溝２５０は、骨アセンブリ２に固定される傘地Ｃの半径に適合して半径方向に直線的に伸びており、前記先骨２５の横断面がＵ字形状である。【選択図】            図３
0003109961.tif 000002
【実用新案登録請求の範囲】
【請求項１】
骨アセンブリに固定される傘地を有する傘の中央軸に、回動自在に連結されるように適応した多段折畳み式の骨アセンブリであって、
前記骨アセンブリは当該骨アセンブリの外側部に回動自在に形成される先骨を有し、
前記先骨は、当該先骨の縦方向に窪まされたＵ字溝を有し、
前記Ｕ字溝は、骨アセンブリに固定される傘地の半径に適合して半径方向に直線的に伸びており、
前記先骨の横断面がＵ字形状であることを特徴とする多段折畳み式の骨アセンブリ。
【請求項２】
前記骨アセンブリは、前記中央軸の頂部に形成される上部ノッチに連結される少なくとも１つの上部骨と、
前記上部骨に回動自在に連結され、前記中央軸または当該中央軸に配置されるスリーブに、摺動可能に保持されるランナへ回動自在に連結される拡張骨と、
前記上部骨および前記拡張骨にそれぞれ回動自在に連結される中間骨と、
前記中間骨に回動自在に連結される前記先骨と、を有することを特徴とする請求項１に記載の多段折畳み式の骨アセンブリ。
【請求項３】
前記中間骨は、連結骨を介して前記上部骨に回動自在に連結されることを特徴とする請求項２に記載の多段折畳み式の骨アセンブリ。
【請求項４】
前記中間骨は、連結骨を介して前記拡張骨に回動自在に連結されることを特徴とする請求項２に記載の多段折畳み式の骨アセンブリ。
【考案の詳細な説明】
【技術分野】
【０００１】
本考案は、Ｕ字形状断面の先骨を有する多段折畳み式の骨アセンブリに関する。
【背景技術】
【０００２】
図１、２に示すような三段の折畳み式骨アセンブリ２が形成された従来の多段折畳み式傘は、中央軸１の頂部に形成される上部ノッチ２０に回動自在に連結される上部骨２１と、上部骨２１に連結され、中央軸１に摺動可能に保持されるランナ３に連結される拡張骨２２と、上部骨２１に回動自在に連結され、連結骨２４を介して拡張骨２２に回動自在に連結される中間骨２３と、中間骨２３に回動自在に連結され、中間骨２３に並置されるバネ骨２６によって、上部骨２１に回動自在に連結される先骨２５と、を有している。
【０００３】
従来の傘は、傘を開く際に美しい外観を示すように、先骨２５が、骨アセンブリ２上に固定される傘地Ｃにより形成されるような美しい傘形を維持するために十分に硬い円形断面を有して、約１００年の間、一般的に作製されている。
【考案の開示】
【考案が解決しようとする課題】
【０００４】
しかし、円形断面で成形された先骨２５は、下記の欠点を有している。
【０００５】
（１）円形断面の先骨２５が中実の鋼または鉄棒でできている場合、あまりに重く、持ち運びや格納が不便である。
【０００６】
（２）円形断面の先骨２５が炭素繊維材料でできている場合、その硬度または剛性は十分であるが、特に、一般に普及している傘製品を作るための傘工業において、炭素繊維原料の費用は高価である。ガラス繊維強化プラスチック（ＦＲＰ）は炭素繊維よりも安価であるが、先骨を製造するには柔らかすぎて適さない。
【０００７】
（３）図２に示すように特に強い風力（空気流れＷ）にさらされる場合に、空気が、上方に抜けられないように傘地Ｃと円形断面の先骨２５の間の角へ案内され（図２中の文字”Ｔ”参照）、傘地Ｃと骨アセンブリ２に圧力が蓄積されて、傘地と骨アセンブリを上向きに容易にひっくり返し、したがって傘の機能が悪化する。
【課題を解決するための手段】
【０００８】
上記目的を達成するための本考案は、骨アセンブリに固定される傘地を有する傘の中央軸に回動自在に連結されるように適応した多段折畳み式の骨アセンブリであって、前記骨アセンブリは当該骨アセンブリの外側部に回動自在に形成される先骨を有し、前記先骨は、当該先骨の縦方向に窪まされたＵ字溝を有し、前記Ｕ字溝は、骨アセンブリに固定される傘地の半径に適合して半径方向に直線的に伸びており、前記先骨の横断面がＵ字形状であることを特徴とする多段折畳み式の骨アセンブリである。
【考案の効果】
【０００９】
上記のように構成した本考案によれば、骨アセンブリは、骨アセンブリの外方部に回動自在に形成され、十分な剛性を有する先骨を有し、この先骨の放射状に窪まされたＵ字溝を介して半径方向の外方向に強い風や空気の流れが効果的に案内されて、傘の上部に作用する風または空気圧を逃がすことができるため、傘を守ることができる。
【考案を実施するための最良の形態】
【００１０】
以下、本考案の実施の形態を、図面を参照しつつ説明する。
【００１１】
図３は傘を開いた際を示す図、図４は図３の４−４線に沿う断面図、図５は本考案の先骨の外側の端部と連結されるボール先端部を示す図、図６は強い風力にさらされた際の本考案に係る骨アセンブリの先骨の断面図、図７は図６の７−７線に沿う断面図である。
【００１２】
図３〜７に示すように、本考案の好ましい実施形態は、多段折畳み式または三段の折畳み式傘の中央軸１に、回動自在に連結される骨アセンブリ２を有している。本考案の傘の折畳みの段数は、特に制限されない。
【００１３】
骨アセンブリ２は、中央軸１の頂部に形成される上部ノッチ２０に回動自在に連結される上部骨２１と、上部骨２１に回動自在に連結され、中央軸１に配置されるスリーブ１１または中央軸１に、摺動可能に保持されるランナ３へ回動自在に連結される拡張骨２２と、拡張骨２２に回動自在に連結され、連結骨２４を介して上部骨２１に回動自在に連結される中間骨２３と、中間骨２３に回動自在に連結される先骨２５と、を有している。
【００１４】
本考案において、例えば四段、五段、六段または七段の折畳み式骨アセンブリのように、複数段の骨アセンブリを形成するためにいくつかの骨をさらに追加することが可能であり、段数は制限されない。
【００１５】
先骨２５は、中間骨２３と回動自在に連結するために、接合部２５１に連結または一体的に形成される内端部を有し、ボール先端部２５２上の傘地Ｃの外側の縁部を固定するために、ボール先端部２５２に連結される外端部を有している。
【００１６】
先骨２５は、縦方向に窪まされたＵ字溝２５０を有しており、このＵ字溝２５０は、骨アセンブリ２に固定される傘地Ｃの半径に合わせて半径方向に直線的となっている。
【００１７】
Ｕ字形状の先骨２５は、成型加工によって一体的に形成されるか、またはＵ字溝２５０を形成するために機械加工により形成されることができる。
【００１８】
押出加工により形成される場合には、Ｕ字形状の先骨２５はさらに、内側の接合部２５１と連結され、外側のボール先端部２５２に連結される。
【００１９】
また、先骨２５の両端部上の接合部２５１とボール先端部２５２を一体的に成形するために、射出成形により、先骨２５を一体的に成形することができる。
【００２０】
強い風力が吹き付ける際には、Ｕ字溝２５０に入り込む風または空気流れＷは、傘地Ｃの下に半径方向に分布するＵ字溝２５０を通って滑らかに案内され、または外方向へ導かれ（図６、７参照）、最終的には、それぞれの先骨２５の終端部から排出され、傘の天蓋または傘地Ｃに形成される空気トラップＴは生じない。したがって、傘が開いている際に、傘に作用する強い空気や風の圧力を逃がし、傘地Ｃと骨アセンブリ２の変形を防止する補助となる。このようにして、傘の適切で補助となる保護機能が得られる。
【００２１】
一方で、先骨２５は中実円柱や円筒状の棒ではなく断面がＵ字形状であるため、取り扱いや保管のために都合が良い。
【００２２】
先骨２５を作製する際には、先骨２５は中実の棒ではないＵ字形状であるため、より少ない原材料で作製でき、材料を節約して生産コストを削減することができる。
【００２３】
図８は、傘が折畳まれた際の本考案の他の実施形態である。
【００２４】
図８は、本考案の他の実施形態を、三段の折畳み骨アセンブリ２を修正することにより開示している。この三段の折畳み骨アセンブリ２は、中央軸１の頂部に形成される上部ノッチ２０に回動自在に連結される上部骨２１と、上部骨２１にそれぞれ回動自在に連結され、中央軸１に摺動可能に保持されるランナ３に回動自在に連結される拡張骨２２と、上部骨２１にそれぞれ回動自在に連結され、連結骨２４を介して拡張骨２２に回動自在に連結される中間骨２３と、縦方向に窪まされたＵ字溝２５０を有し、中間骨２３にそれぞれ回動自在に連結され、中間骨２３に並置される弾性骨２６を介して上部骨２１に回動自在に連結される先骨２５と、を有している。
【００２５】
本考案は、上述した実施の形態に限定されるものではなく、実用新案登録請求の範囲の範囲内で種々改変することができる。例えば、先骨２５を作製するための材料は制限されない。しかし、先骨２５の剛性、硬度、および強度は、強い骨アセンブリを作製するために慎重かつ徹底的に考慮される必要がある。
【図面の簡単な説明】
【００２６】
【図１】従来の傘を開いた際の骨アセンブリを示す図である。
【図２】図１の２−２線に沿う断面図である。
【図３】傘を開いた際を示す図である。
【図４】図３の４−４線に沿う断面図である。
【図５】先骨の外側の端部と連結されるボール先端部を示す図である。
【図６】強い風力にさらされた際の先骨の断面図である。
【図７】図６の７−７線に沿う断面図である。
【図８】傘が折畳まれた際の本考案の他の実施形態である。
【符号の説明】
【００２７】
１  中央軸、
２  骨アセンブリ、
３  ランナ、
２０  上部ノッチ、
２１  上部骨、
２２  拡張骨、
２３  中間骨、
２４  連結骨、
２５  先骨、
２６  弾性骨、
２５０  Ｕ字溝、
２５１  接合部、
２５２  ボール先端部、
Ｃ  傘地、
Ｗ  空気流れ、
Ｔ  空気トラップ。
【図１】
0003109961.tif 000003
【図２】
0003109961.tif 000004
【図３】
0003109961.tif 000005
【図４】
0003109961.tif 000006
【図５】
0003109961.tif 000007
【図６】
0003109961.tif 000008
【図７】
0003109961.tif 000009
【図８】
0003109961.tif 000010